(57)【要約】非接触ＩＣ（ｉｎｔｅｇｒａｔｅｄ  ｃｉｒｃｕｉｔ）カードと、情報提供用デバイスとを用いる情報提供方法に関し、大容量のデータの取得や、動的に生成されるデータの取得を可能にし、更に、非接触ＩＣカード上のデータ更新の煩わしさを解消することを目的とする。非接触ＩＣカード７に、外部情報データ８にアクセスするためのロケーション情報データ９を格納し、情報提供用デバイス１０がロケーション情報データ９を読み取り、読み取ったロケーション情報データ９に基づいて外部情報データ８へアクセスする。
2003023622.tif 000002
【特許請求の範囲】
【請求項１】
非接触ＩＣ（ｉｎｔｅｇｒａｔｅｄ  ｃｉｒｃｕｉｔ）カードと、情報提供用デバイスとを用いる情報提供方法であって、以下の要素を有することを特徴とする情報提供方法
（１）上記情報提供用デバイスが、上記非接触ＩＣカードにアクセスし、外部情報データの所在位置を示すリンク情報のみから構成されるロケーション情報データを読み出す工程
（２）上記情報提供用デバイスが、読み出した上記ロケーション情報を構成する上記リンク情報に従って、ネットワークを介して、上記外部情報データを取り出す工程
（３）上記情報提供用デバイスが、上記外部情報データの少なくとも一部を用いて、ユーザが理解可能なユーザ向けデータを生成する工程
（４）上記情報提供用デバイスが、上記ユーザ向けデータを出力する工程。
【請求項２】
非接触ＩＣ（ｉｎｔｅｇｒａｔｅｄ  ｃｉｒｃｕｉｔ）カードと、情報提供用デバイスとを用いる情報提供方法であって、以下の要素を有することを特徴とする情報提供方法
（１）上記情報提供用デバイスが、上記非接触ＩＣカードにアクセスし、外部情報データの所在位置を示すリンク情報を含むロケーション情報データを読み出す工程
（２）上記情報提供用デバイスが、読み出した上記ロケーション情報に含まれる上記リンク情報の選択を促す情報を生成する工程
（３）上記情報提供用デバイスが、上記選択を促す情報を出力する工程
（４）上記情報提供用デバイスが、上記リンク情報の選択情報を入力する工程
（５）上記情報提供用デバイスが、上記選択情報により特定される上記リンク情報に従って、ネットワークを介して、上記外部情報データを取り出す工程
（６）上記情報提供用デバイスが、上記外部情報データの少なくとも一部を用いて、ユーザが理解可能なユーザ向けデータを生成する工程
（７）上記情報提供用デバイスが、上記ユーザ向けデータを出力する工程。
【請求項３】
上記情報提供方法は、更に、取り出した上記外部情報データに含まれるプログラムを実行する工程を有し、
上記ユーザ向けデータは、上記プログラムの実行結果の基づいて生成されることを特徴とする請求項１または２いずれかに記載の情報提供方法。
【請求項４】
上記非接触ＩＣカードは、商品、上記商品の包装、あるいは、上記商品の関連物に備えられ、
上記情報提供方法は、上記外部情報データとして、上記商品に関する情報を取り出す工程を有することを特徴とする請求項１または２いずれかに記載の情報提供方法。
【請求項５】
上記情報提供方法は、上記外部情報データとして、商品に関する情報を取り出す工程と、
上記外部情報データとして、上記商品の購入に関する決済手続を促す情報を取り出す工程を有することを特徴とする請求項１または２いずれかに記載の情報提供方法。
【請求項６】
上記非接触ＩＣカードは、特定地域内に設置され、
上記情報提供方法は、上記外部情報データとして、上記特定地域の位置情報を取り出す工程を有することを特徴とする請求項１または２いずれかに記載の情報提供方法。
【請求項７】
上記情報提供方法は、更に、
上記外部情報データを管理するサーバが、上記非接触ＩＣカードの設置位置の情報を管理するデータベースを用いて、上記非接触ＩＣカードに格納されている上記ロケーション情報の上記リンク情報へのアクセス履歴に基づいて、ユーザの位置を特定する工程を有することを特徴とする請求項６記載の情報提供方法。
【請求項８】
上記非接触ＩＣカードは、名刺に備えられ、
上記情報提供方法は、上記外部情報データとして、上記名刺に表示されている人物の情報、及び上記人物の所属する組織の情報のうち少なくとも一方を取り出す工程を有することを特徴とする請求項１または２いずれかに記載の情報提供方法。
【請求項９】
上記非接触ＩＣカードは、広告用配布物に備えられ、
上記情報提供方法は、上記外部情報データとして、広告対象に関する情報を取り出す工程を有することを特徴とする請求項１または２いずれかに記載の情報提供方法。
【請求項１０】
以下の要素を有することを特徴とする情報提供用デバイス
（１）非接触ＩＣ（ｉｎｔｅｇｒａｔｃｄ  ｃｉｒｃｕｉｔ）カードにアクセスし、外部情報データの所在位置を示すリンク情報のみから構成されるロケーション情報データを読み出す非接触ＩＣカード用アクセス部
（２）読み出したロケーション情報を構成するリンク情報に従って、ネットワークを介して、上記外部情報データを取り出すロケーション用アクセス部
（３）上記外部情報データの少なくとも一部を用いて、ユーザが理解可能なユーザ向けデータを生成するデータ処理部
（４）上記ユーザ向けデータを出力する情報出力部。
【請求項１１】
非接触ＩＣ（ｉｎｔｅｇｒａｔｅｄ  ｃｉｒｃｕｉｔ）カードにアクセスし、外部情報データの所在位置を示すリンク情報を含むロケーション情報データを読み出す非接触ＩＣカード用アクセス部と、
読み出した上記ロケーション情報に含まれる上記リンク情報の選択を促す情報を生成するデータ処理部と、
上記選択を促す情報を出力する情報出力部と、
上記リンク情報の選択情報を入力する操作入力部と、
上記選択情報により特定される上記リンク情報に従って、ネットワークを介して、上記外部情報データを取り出すロケーション用アクセス部とを有する情報提供用デバイスであって、
上記データ処理部は、更に、上記外部情報データの少なくとも一部を用いて、ユーザが理解可能なユーザ向けデータを生成し、
上記情報出力部は、更に、上記ユーザ向けデータを出力することを特徴とする情報提供用デバイス。
【発明の詳細な説明】
技術分野
本発明は、非接触ＩＣ（ｉｎｔｅｇｒａｔｅｄ  ｃｉｒｃｕｉｔ）カードを使用して、様々な情報をユーザに提供する方法に関するものである。
背景技術
図７は、従来技術における非接触ＩＣカードを使用した情報アクセスシステムの構成を示す図である。図において、１は、非接触ＩＣカード、２は、非接触カード１に格納されている内蔵データ、３は、内蔵データ２を利用して、情報を提供するための情報提供用デバイス、４は、非接触カード１に格納されている内蔵データ２にアクセスするための非接触ＩＣカード用アクセス部、５は、取得した内蔵データに基づいて、情報提供用デバイス３が提供する情報を作り出すためのデータ処理部、６は情報提供用デバイス３が提供する情報を出力するユーザインターフェース部である。
上述の構成において、提供できる情報は、非接触ＩＣカード１に格納されている内蔵データ２そのもの、または内蔵データをソースとしてデータ処理部５で作成されたものである。
このように、目的のデータが非接触ＩＣカード１に格納されているため、以下のような問題がある。例えば、映画のように非常に大きなデータからなる情報を提供する場合や、リアルタイムの映像のように動的に生成されるような情報を提供する場合を想定する。このような場合には、非接触ＩＣカードに、非常に大きなメモリを搭載したり、システムにカメラやリアルタイムに映像を生成するエンコーダなどを加える必要が生じる。このため、コスト高を招く。
また、例えば、非接触ＩＣカードに格納されている目的のデータが古くなった場合や、間違っていた場合を想定する。本来このような場合には、そのデータを更新するこのが望ましい。しかし、すでに配布してしまった非接触ＩＣカードに格納されているデータを更新することは、現実的には不可能である。また、多数の非接触ＩＣカードにデータを格納した後に、もう一度それらのカードを書き直すことは、煩わしい。
特開２０００−７６３９９には、上述の技術を前提としたシステムの例が記載されている。
本発明は、上記した従来技術の欠点を除くためになされたものであって、その目的とするところは、非接触ＩＣカードに、目的のデータにアクセスするためのロケーション情報を格納し、情報提供用デバイスがロケーション情報を読み取り、読み取ったロケーション情報に基づいて目的のデータへアクセスすることによって、大容量のデータの取得や、動的に生成されるデータの取得を可能にし、更に、非接触ＩＣカード上のデータ更新の煩わしさを解消することを目的とする。
発明の開示
本発明に係る情報提供方法は、
非接触ＩＣ（ｉｎｔｅｇｒａｔｅｄ  ｃｉｒｃｕｉｔ）カードと、情報提供用デバイスとを用いる情報提供方法であって、以下の要素を有することを特徴とする
（１）上記情報提供用デバイスが、上記非接触ＩＣカードにアクセスし、外部情報データの所在位置を示すリンク情報のみから構成されるロケーション情報データを読み出す工程
（２）上記情報提供用デバイスが、読み出した上記ロケーション情報を構成する上記リンク情報に従って、ネットワークを介して、上記外部情報データを取り出す工程
（３）上記情報提供用デバイスが、上記外部情報データの少なくとも一部を用いて、ユーザが理解可能なユーザ向けデータを生成する工程
（４）上記情報提供用デバイスが、上記ユーザ向けデータを出力する工程。
本発明に係る情報提供方法は、
非接触ＩＣ（ｉｎｔｅｇｒａｔｅｄ  ｃｉｒｃｕｉｔ）カードと、情報提供用デバイスとを用いる情報提供方法であって、以下の要素を有することを特徴とする
（１）上記情報提供用デバイスが、上記非接触ＩＣカードにアクセスし、外部情報データの所在位置を示すリンク情報を含むロケーション情報データを読み出す工程
（２）上記情報提供用デバイスが、読み出した上記ロケーション情報に含まれる上記リンク情報の選択を促す情報を生成する工程
（３）上記情報提供用デバイスが、上記選択を促す情報を出力する工程
（４）上記情報提供用デバイスが、上記リンク情報の選択情報を入力する工程
（５）上記情報提供用デバイスが、上記選択情報により特定される上記リンク情報に従って、ネットワークを介して、上記外部情報データを取り出す工程
（６）上記情報提供用デバイスが、上記外部情報データの少なくとも一部を用いて、ユーザが理解可能なユーザ向けデータを生成する工程
（７）上記情報提供用デバイスが、上記ユーザ向けデータを出力する工程。
上記情報提供方法は、更に、取り出した上記外部情報データに含まれるプログラムを実行する工程を有し、
上記ユーザ向けデータは、上記プログラムの実行結果の基づいて生成されることを特徴とする。
上記非接触ＩＣカードは、商品、上記商品の包装、あるいは、上記商品の関連物に備えられ、
上記情報提供方法は、上記外部情報データとして、上記商品に関する情報を取り出す工程を有することを特徴とする。
上記情報提供方法は、上記外部情報データとして、商品に関する情報を取り出す工程と、
上記外部情報データとして、上記商品の購入に関する決済手続を促す情報を取り出す工程を有することを特徴とする。
上記非接触ＩＣカードは、特定地域内に設置され、
上記情報提供方法は、上記外部情報データとして、上記特定地域の位置情報を取り出す工程を有することを特徴とする。
上記情報提供方法は、更に、
上記外部情報データを管理するサーバが、上記非接触ＩＣカードの設置位置の情報を管理するデータベースを用いて、上記非接触ＩＣカードに格納されている上記ロケーション情報の上記リンク情報へのアクセス履歴に基づいて、ユーザの位置を特定する工程を有することを特徴とする。
上記非接触ＩＣカードは、名刺に備えられ、
上記情報提供方法は、上記外部情報データとして、上記名刺に表示されている人物の情報、及び上記人物の所属する組織の情報のうち少なくとも一方を取り出す工程を有することを特徴とする。
上記非接触ＩＣカードは、広告用配布物に備えられ、
上記情報提供方法は、上記外部情報データとして、広告対象に関する情報を取り出す工程を有することを特徴とする。
本発明に係る情報提供用デバイスは、
以下の要素を有することを特徴とする
（１）非接触ＩＣ（ｉｎｔｅｇｒａｔｅｄ  ｃｉｒｃｕｉｔ）カードにアクセスし、外部情報データの所在位置を示すリンク情報のみから構成されるロケーション情報データを読み出す非接触ＩＣカード用アクセス部
（２）読み出したロケーション情報を構成するリンク情報に従って、ネットワークを介して、上記外部情報データを取り出すロケーション用アクセス部
（３）上記外部情報データの少なくとも一部を用いて、ユーザが理解可能なユーザ向けデータを生成するデータ処理部
（４）上記ユーザ向けデータを出力する情報出力部。
本発明に係る情報提供用デバイスは、
非接触ＩＣ（ｉｎｔｅｇｒａｔｅｄ  ｃｉｒｃｕｉｔ）カードにアクセスし、外部情報データの所在位置を示すリンク情報を含むロケーション情報データを読み出す非接触ＩＣカード用アクセス部と、
読み出した上記ロケーション情報に含まれる上記リンク情報の選択を促す情報を生成するデータ処理部と、
上記選択を促す情報を出力する情報出力部と、
上記リンク情報の選択情報を入力する操作入力部と、
上記選択情報により特定される上記リンク情報に従って、ネットワークを介して、上記外部情報データを取り出すロケーション用アクセス部とを有する情報提供用デバイスであって、
上記データ処理部は、更に、上記外部情報データの少なくとも一部を用いて、ユーザが理解可能なユーザ向けデータを生成し、
上記情報出力部は、更に、上記ユーザ向けデータを出力することを特徴とする。
発明を実施するための最良の形態
実施の形態１．
以下本発明を図面に示す実施例に基づいて説明する。図１は、システムの構成例を示す図である。
７は、非接触ＩＣカード、８は、非接触ＩＣカード７の外部に存在する外部情報データである。外部情報データ８は、例えば、リアルタイム映像のような動的なデータ、あらかじめ作成されている静的なデータ、あるいはプログラムなどが考えられる。９は、ロケーション情報データである。ロケーション情報データ９は、外部情報データ８へアクセスするためのリンク情報を特定できるように構成されている。ロケーション情報データ９は、そのリンク情報そのものであってもよいし、そのリンク情報を含む情報でもよい。ここで、リンク情報は、ネットワーク上における外部情報データ８の所在位置を示すデータであって、リンク情報そのものとは、例えば、ＵＲＬ（Ｕｎｉｆｏｒｍ  Ｒｅｓｏｕｒｃｅ  Ｌｏｃａｔｏｒ）であり、リンク情報を含む情報とは、例えば、ＵＲＬを含むＨＴＭＬ（Ｈｙｐｅｒ  Ｔｅｘｔ  Ｍａｒｋｕｐ  Ｌａｎｇｕａｇｅ）文書である。
１０は、非接触ＩＣカード７に格納されているロケーション情報データ９を利用して、ユーザに外部情報データ８から得られる情報を提供するための情報提供用デバイスである。情報提供用デバイス１０には、以下の要素１１〜１５が含まれる。
１１は、非接触ＩＣカード７に格納されているロケーション情報データ９にアクセスするための非接触ＩＣカード用アクセス部である。
１２は、ロケーション情報データ９を使用して、外部情報データ８にアクセスするためのロケーション用アクセス部である。例えばリンク情報がＵＲＬである場合、ロケーション用アクセス部１２は、インターネットアクセスおよびコンテンツアクセスを行うための機構を備える。この機構については、現在使用されている方法に従えばよい。例えば、携帯電話で用いられるｉ−ｍｏｄｅ（登録商標）の方法、ＰＤＡ（Ｐｅｒｓｏｎａｌ  Ｄｉｇｉｔａｌ  Ａｓｓｉｓｔａｎｔｓ）やＰＣ（Ｐｅｒｓｏｎａｌ  Ｃｏｍｐｕｔｅｒ）で用いられるＩＳＰ（Ｉｎｔｅｒｎｅｔ  Ｓｅｒｖｉｃｅ  Ｐｒｏｖｉｄｅｒ）を介したＨＴＴＰ（ＨｙｐｅｒＴｅｘｔ  Ｔｒａｎｓｆｅｒ  Ｐｒｏｔｏｃｏｌ）の方法である。
１３は、ユーザへの各種情報の出力を行う情報出力部である。また、情報出力部１３がユーザに提供する情報の形式は、例えば、静止画、動画、音声、音楽、テキストなどが考えられる。
１４は、ユーザからの操作を受け取るための操作入力部である。以下の例では、操作入力部として、ポインティングデバイスを用いて説明するが、キーボード、ペンなどその他の入力装置であっても構わない。
１５は、外部情報データ８、あるいはロケーション情報データ９からユーザ向けの情報を作成し、更に、ユーザからの入力に対する処理を行うデータ処理部である。また、外部情報データ８がプログラムである場合には、データ処理部１５はそのプログラムを実行する。
続いて、非接触ＩＣカード７を使用して、ユーザに様々な情報を提供する方法について説明する。図２は、非接触ＩＣカード７を使用して、ユーザに様々な情報を提供する処理のフローチャートである。
まず、情報提供用デバイス１０は、非接触ＩＣカード用アクセス部１１を使用して、非接触ＩＣカード７に格納されているロケーション情報データ９を取り出し（Ｓ２１）、これをデータ処理部１５に送る。
ここで、非接触ＩＣカード用アクセス部１１は、具体的には非接触ＩＣカード用リーダ／ライタのことである。基本的には、情報提供用デバイス１０に対する外付けであっても、情報提供用デバイス１０に内蔵されていてもよいが、情報提供用デバイス１０が携帯用である場合には、内蔵している方が望ましい。
次に、データ処理部１５で、ロケーション情報データが、外部情報データ８へアクセスするためのリンク情報そのもの（例えば、ＵＲＬ）であるか、あるいは、リンク情報を含む情報（例えば、ＨＴＭＬ文書）であるかをチェックする（Ｓ２２）。
チェックした結果、ロケーション情報データ９がリンク情報そのものであった場合には、情報提供用デバイス１０は、ロケーション用アクセス部１２を使用して、外部情報データ８を取り出す（Ｓ２３）。そして、データ処理部１５は、取り出した外部情報データ８を、ユーザが理解できる情報（例えば、ＨＴＭＬ文書の形式）へ変換し、ユーザ向け情報として情報出力部１３に送る。情報出力部１３は、送られたユーザ向け情報を表示する（Ｓ２４）。このように、ユーザに対して各種情報が提供される。外部情報データ８がプログラムであった場合には、データ処理部１５はそのプログラムを実行し、実行結果に基づいて、ユーザに各種情報を提供する。
一方、ロケーション情報データ９がリンク情報を含む情報であった場合には、データ処理部１５は、この情報をユーザが理解できる情報（例えば、ＨＴＭＬ文書の形式）に変換し、情報出力部１３に送る。情報出力部１３は、送られた情報を表示する（Ｓ２５）。このようにして、ユーザに対して、目的とする情報へのリンク情報を選択する為の情報（例えば、ＨＴＭＬ文書）が提供される。つまり、この情報は、ユーザに対してリンク情報の選択を促す。
このとき、入力用スレッドは、ユーザからの入力を待っている（Ｓ２６）。ユーザは、提供された情報の中から、リンク情報を選択する（Ｓ２７）。例えば、この情報がＨＴＭＬ文書であった場合には、情報出力部１３である表示装置に表示されるリンク情報の部分を、操作入力部１４であるポインティングデバイスで指示する。
選択の情報は、操作入力部１４からデータ処理部１５に送られ、データ処理部１５は、ロケーション用アクセス部１２を使用し、選択されたリンク情報に基づいて外部情報データ８を取り出す（Ｓ２３）。データ処理部１５は、これをユーザが理解できる情報（例えば、ＨＴＭＬ文書の形式）に変換し、ユーザ向け情報として情報出力部１３に送る。情報出力部１３は、送られたユーザ向け情報を表示する（Ｓ２４）。このようにして、目的の情報が、ユーザに提供される。
上述のように、非接触ＩＣカードを使用してユーザに様々な情報を提供することができる。
実施の形態２．
続いて、応用例について説明する。図３は、商品情報の提供サービスへ応用した場合のシステム構成図である。
非接触ＩＣカード７は、商品情報へのＵＲＬを格納している。そして、非接触ＩＣカード７は、商品の本体、パッケージ、ラベル、商品紹介用パンフレットなどに備えられる。例えば、貼り付けられ、あるいは組み込まれる。尚、ラベルと、商品紹介用パンフレットは、商品関連物の例である。
情報提供用デバイス１０として、非接触ＩＣカードアクセス機能およびインターネットアクセス機能付き携帯電話３１が用いられる。携帯電話３１は、商品情報へのＵＲＬを取り出し、このＵＲＬに基づいて外部情報データである商品情報を取り出して、ユーザに提供する。
図３に示すように、商品がＣＤやＤＶＤである場合には、例えば、これらの媒体に格納されている音楽やビデオ映像の最初の部分を商品情報とすることもできる。
また、非接触ＩＣカード７に、決済会社のＨＰのＵＲＬを格納しておくことも有効である。ユーザが商品を購入する場合に、携帯電話はこのＵＲＬに基づいて決済会社のＨＰへアクセスし、決済手続を行うことができる。つまり、この場合、外部情報データは、決済会社のＨＰを構成するＨＴＭＬ文書であり、この文書は、ユーザに対して決済手続きを促すように構成されている。
実施の形態３．
図４は、位置情報の提供サービスへ応用した場合のシステム構成図である。
非接触ＩＣカード７は、その地域の情報へのＵＲＬや、その地域の地図へのＵＲＬなどを格納している。非接触ＩＣカード７は、建物の壁や掲示版などに備えられる。そして、前述の商品情報の提供サービスの場合と同様の方法で、ユーザに地域情報や地図情報などの位置情報を提供する。
また、トレッキングや登山用の道沿いの木や看板に、非接触ＩＣカードを設置し、位置情報として、地域情報や地図情報の他に、ルート情報、注意情報、天気情報などをユーザに提供することもできる。山などの看板は、メンテナンスされていない場合が多く、情報が古かったり、消えてしまっている場合がある。そのため、非接触ＩＣカードによる情報提供は有効である。特に、非接触ＩＣカードの情報を更新する必要が無く、Ｗｅｂサーバ上の情報を更新するだけで済む点で有効である。
更に、非接触ＩＣカードの設置位置の情報を管理するデータベースを設け、Ｗｅｂサーバが、非接触ＩＣカードに格納されているＵＲＬへのアクセス履歴を調べることにより、ユーザの位置を特定することもできる。例えば、遭難者の捜索に役立つ。
実施の形態４．
図５は、名刺に応用した場合のシステム構成図である。非接触ＩＣカード７は、名刺に備えられる。非接触ＩＣカード７は、名刺に表示されている人物に関する詳細情報へのＵＲＬや、その人物が所属する会社情報へのＵＲＬなどを格納する。会社は、その人物が所属する組織の例である。そして、前述の商品情報の提供サービスの場合と同様の方法で、ユーザに人物情報や会社情報などを提供する。
実施の形態５．
図６は、広告に応用した場合のシステム構成図である。非接触ＩＣカード７は、街頭で配られるポケットティッシュやちらしのような広告用配布物に備えられる。非接触ＩＣカード７は、広告情報へのＵＲＬを格納している。そして、前述の商品情報の提供サービスの場合と同様の方法で、ユーザに広告情報を提供する。
上述の応用例では、情報提供用デバイス１０として、携帯電話を用いて説明した。しかし、必ずしも携帯電話に限定されない。情報提供用デバイス１０は、非接触ＩＣカードアクセス機能、リンク情報に基づいたアクセス機能、情報出力機能、ユーザからの操作入力機能があれば足りる。従って、例えば、これらの機能を備えたＰＤＡ、ＰＣ、専用デバイスであっても構わない。
産業上の利用可能性
以上のような方法により、非接触ＩＣカードを使用して、多様な情報をユーザに提供できる。例えば、動画のように非常に大きなデータからなる情報や、リアルタイムの動画のように動的に生成されるような情報なども提供できる。
また、ユーザに提供したい情報が古くなったり、あるいは間違っていた場合であっても、情報の更新が容易になる。つまり、非接触ＩＣカードに対する更新処理は必要なく、例えばＷｅｂサーバのように外部に格納されている外部情報データに対する更新処理だけで足りる。また、多数の非接触ＩＣカードから提供される情報を更新する場合に、多数の非接触ＩＣカード毎に書き換え処理する必要がなくなる。
【図面の簡単な説明】
図１は、システムの構成例を示す図である。
図２は、非接触ＩＣカードを使用して、ユーザに様々な情報を提供する処理のフローチャートである。
図３は、商品情報の提供サービスへ応用した場合のシステム構成図である。
図４は、位置情報の提供サービスへ応用した場合のシステム構成図である。
図５は、名刺に応用した場合のシステム構成図である。
図６は、広告に応用した場合のシステム構成図である。
図７は、従来技術における非接触ＩＣカードを使用した情報アクセスシステムの構成を示す図である。
【図１】
2003023622.tif 000003
【図２】
2003023622.tif 000004
【図３】
2003023622.tif 000005
【図４】
2003023622.tif 000006
【図５】
2003023622.tif 000007
【図６】
2003023622.tif 000008
【図７】
2003023622.tif 000009
【国際調査報告】
2003023622.tif 000010
2003023622.tif 000011
2003023622.tif 000012